(57)【要約】【課題】  本発明は、デジタルデータを有する印刷物の印刷製造する際、印刷された対象物を電子カメラで撮像し、その撮像データと印刷対象のデジタルデータを比較する機能により印刷物発注依頼者の意図する印刷品質を評価検査する装置の提供を課題とする。【解決手段】  印刷手段と印刷された印刷物および印刷対象のデジタルデータにより印刷対象を表示するディスプレイ映像を電子カメラで撮像する機能を持ち、電子カメラで撮像された映像データと印刷対象のデジタルデータおよび印刷対象を表示するディスプレイ映像データを電子カメラで撮像した映像データとを比較し、それらデータの誤差を検出することで印刷手段を制御することを特徴とし、得られたデータにより印刷工程のインク量を制御し、印刷依頼者の要求する印刷品質を印刷工程場所とは離れた場所で印刷品質を判断可能とすると同時に印刷品質確認に関わる印刷工程を削減し、人体に対し有害なインク溶剤等の化学物質の人体との接触時間を低減させる。【選択図】図１
2014069568.tif 000002
【特許請求の範囲】
【請求項１】
印刷依頼する見本印刷体があり、前記見本体の印刷データがない場合、前記印刷見本体を電子カメラで撮像する手段により得られた前記印刷依頼見本の映像データと基準カラーチャートの印刷補正表のデータとの比較判定部による印刷工程の印刷補正制御を行う装置において、基準カラーチャートを電子カメラで撮像し基準カラーチャートの映像データとして得る手段と基準カラーチャートを印刷する印刷工程により基準カラーチャートの印刷物を印刷し得られた印刷物を電子カメラで撮像し基準カラーチャート印刷物の映像データとして得る手段を持ち、基準カラーチャートの電子カメラの映像データと基準カラーチャートを印刷した印刷物を電子カメラによる映像データの比較判定を行い、印刷補正表を作成する機能を持つ図１３に示される基準カラーチャートの印刷補正ブロックを特徴とし、前記基準カラーチャートの印刷補正表と前記印刷見本の印刷体を電子カメラで撮像した映像データを前記基準カラーチャートの印刷補正表に基づく印刷補正制御により印刷手段の補正を行う印刷依頼見本の印刷物作成ブロックで構成される印刷依頼見本の印刷物検査装置。
【請求項２】
印刷依頼する見本印刷体があり、前記見本体の印刷データがない場合、前記印刷見本体を電子カメラで撮像する手段により得られた前記印刷依頼見本の映像データと基準カラーチャートの印刷色補正表との比較判定部による印刷工程の印刷補正制御を行う装置において、基準カラーチャートを電子カメラで撮像し基準カラーチャートの映像データとして得る手段と基準カラーチャートを印刷する印刷工程により基準カラーチャートの印刷物を印刷し得られた印刷物を電子カメラで撮像し基準カラーチャート印刷物の映像データとして得る手段を持ち、基準カラーチャートの電子カメラの映像データと基準カラーチャートを印刷した印刷物を電子カメラによる映像データの比較判定を行い、印刷補正表を作成する機能を持つ図１３に示される基準カラーチャートの印刷補正ブロックを特徴とし、前記基準カラーチャートの印刷補正表と印刷見本の印刷体を電子カメラで撮像した映像データを前記基準カラーチャートの印刷補正表に基づく印刷補正制御により印刷手段の補正を行う印刷見本の印刷制御工程ブロックを特徴とし、前記印刷機の存在する印刷工程の設置場所と印刷工程を制御する印刷見本の印刷制御工程ブロックは別な場所であることを特徴とする。
【請求項３】
請求項１の装置に基準カラーチャートを電子カメラで撮像し基準カラーチャートの映像信号（データ）として得る手段と得られた前記基準カラーチャートの映像データをディスプレイに表示し、表示された映像を電子カメラで撮像し映像データとして取得する手段を持ち、前記基準カラーチャートの映像データと前記ディスプレイに表示された映像を電子カメラで撮像した映像データとを比較することによりディスプレイ表示補正表を得る基準カラーチャートの図１４のディスプレイ表示補正ブロックによる表示補正されたディスプレイを付加し、基準カラーチャートを電子カメラで撮像し基準カラーチャートの映像データとして得る手段と基準カラーチャートを印刷する印刷工程により基準カラーチャートの印刷物を印刷し得られた印刷物を電子カメラで撮像し基準カラーチャート印刷物の映像データとして得る手段を持ち、基準カラーチャートの電子カメラの映像データと基準カラーチャートを印刷した印刷物を電子カメラによる映像データの比較判定を行うことにより印刷補正表を作成する機能と、前記印刷補正表により印刷工程を制御する基準カラーチャートの印刷補正制御する請求項１に記載の基準カラーチャートの印刷補正ブロックにより得られた基準カラーチャートの印刷補正表を用いた印刷依頼見本の印刷物を電子カメラで撮像した映像データを前記表示補正されたディスプレイに表示することを特徴とする装置。
【請求項４】
請求項３の装置において図１３示される基準カラーチャートの印刷補正ブロックによって得られる基準カラーチャートの印刷補正表に基づいて印刷工程補正で印刷された印刷物を電子カメラで撮影し取得した映像をディスプレー上に表示する機能を持ち、前記ディスプレイは図１４に示される基準カラーチャートのディスプレイ表示補正ブロックによって補正されたディスプレイであることを特徴とし、印刷依頼見本を電子カメラで撮影し得られた映像データと印刷工程補正で印刷された印刷物を電子カメラで撮影した前記映像と印刷依頼見本を電子カメラで撮影し得られた前記映像データとを前記ディスプレイ上に表示し比較する印刷依頼見本の印刷物作成ブロックを持つことを特徴とする装置。
【請求項５】
印刷依頼する印刷データがあり、印刷依頼見本の印刷体がない場合、基準カラーチャートを電子カメラで撮像し基準カラーチャートの映像データとして得る手段と得られた前記基準カラーチャートの映像信号データをディスプレイに表示し、表示された映像を電子カメラで撮像し映像データとして取得する手段を持ち、前記基準カラーチャートの映像データと前記ディスプレイに表示された映像を電子カメラで撮像した映像データとを比較することによりディスプレイ表示補正表を得る基準カラーチャートの印刷物補正ブロックを持ち、前記ディスプレイ表示補正表に基づいて表示補正されたディスプレイに印刷依頼されたデータを表示し表示された映像を電子カメラで撮像した撮像データを得る機能と、基準カラーチャートを電子カメラで撮像し基準カラーチャートの映像データとして得る手段と基準カラーチャートを印刷する印刷工程により基準カラーチャートの印刷物を印刷し得られた印刷物を電子カメラで撮像し基準カラーチャート印刷物の映像データとして得る手段を持ち、基準カラーチャートの電子カメラの映像データと基準カラーチャートを印刷した印刷物を電子カメラによる映像データの比較判定を行う基準カラーチャートの印刷補正ブロックで基準カラーチャートの印刷補正表を作成し、前記印刷補正表により印刷工程ブロックにおける印刷工程を補正制御する機能により得られた印刷依頼見本の印刷物を電子カメラで撮像し得られた映像データを得る機能を有し、印刷依頼データ作成および表示／評価ブロックにより得られたディスプレイ表示補正表に基づいて映像データを表示するディスプレイを備えるとともに、基準カラーチャートを電子カメラで撮像し基準カラーチャートの映像データとして得る手段と基準カラーチャートを印刷する印刷工程により基準カラーチャートの印刷物を印刷し得られた印刷物を電子カメラで撮像し基準カラーチャート印刷物の映像データとして得る手段を持ち、基準カラーチャートの電子カメラの映像データと基準カラーチャートを印刷した印刷物を電子カメラによる映像データの比較判定を行う基準カラーチャートの印刷補正ブロックで基準カラーチャートの印刷補正表を作成し、前記印刷補正表により印刷工程ブロックにおける印刷工程を補正制御する機能により得られた印刷依頼見本の印刷物を電子カメラで撮像し得られた映像データを得る機能を有し、
・前記印刷補正表により印刷工程を補正制御する機能により得られた印刷依頼見本の印刷物電子カメラで撮像し得られた映像データと
・印刷依頼データと
・印刷依頼データを前記ディスプレイに表示し、ディスプレイ上に表示された映像を電子カメラで撮像した映像データと
を比較及び評価を行うことを特徴とする装置。
【請求項６】
請求項５の装置において、
・印刷補正表により印刷工程を補正制御する機能により得られた印刷依頼見本の印刷物を電子カメラで撮像し得られた映像データと
・印刷依頼データと
・印刷依頼データを前記ディスプレイに表示し、ディスプレイ上に表示された映像を電子カメラで撮像した映像データと
・ＩＳＯの品質管理規格データと
を比較及び評価を行うことを特徴とする装置。
【請求項７】
請求項５または請求項６において印刷工程と印刷依頼データ作成及び印刷工程制御／表示／評価制御の前記印刷機の存在する印刷工程の設置場所と印刷工程を制御する前記印刷補正部は別な場所であることを特徴とする。
【請求項８】
請求項５または請求項６において印刷工程ブロックと印刷制御を行う印刷依頼データ作成及び表示／評価ブロックに、
・前記印刷補正表により印刷工程を補正制御する機能により得られた印刷依頼見本の印刷物を電子カメラで撮像し得られた映像データと
・印刷依頼データと
・印刷依頼データを前記ディスプレイに表示し、ディスプレイ上に表示された映像を電子カメラで撮像した映像データと
を印刷補正ブロック、印刷依頼データ作成及び表示／評価ブロックとは位置が異なる遠隔地に送信する機能を持ち、遠隔地でデータ受信し印刷物を評価することを特徴とする装置。
【請求項９】
請求項７の装置においてデータの送受信は双方向であり、印刷依頼データ作成及び表示／評価ブロックからの受信データは、
・印刷物の電子カメラの映像データ
・印刷物の電子カメラの映像データのディスプレイ表示データ
・ディスプレイ表示データ補正表
・基準カラーチャートの印刷補正表
であり、印刷依頼データ作成及び表示／評価ブロックへの送信データは、
・印刷依頼データ
・印刷依頼データのディスプレイ補正データ
・ディスプレイ表示の電子カメラの映像データ
・印刷修正データ
・評価及び修正指示
であることを特徴とする。
【請求項１０】
請求項１乃至請求項９の装置において電子カメラに色フィルターを配置し電子カメラの撮像データを取得することを特徴とする装置。
【請求項１１】
請求項１０に使用するフィルターはＲ，Ｇ，Ｂフィルターであることを特徴とする装置。
【請求項１２】
請求項１０に使用するフィルターはＹ，Ｍ，Ｃ，ＮＤフィルターであることを特徴とする装置。
【請求項１３】
請求項３，請求項４、請求項５、請求項６、請求項７の装置において、基準カラーチャートのディスプレイ補正ブロックでのディスプレイ表示は基準カラーチャートの表示の部分拡大、部分縮小の表示すること、基準カラーチャートの電子カメラ映像表示と基準カラーチャートの印刷物の電子カメラ映像表示の並列表示すること及び基準カラーチャートの電子カメラによる映像信号または基準カラーチャートの印刷物の電子カメラ映像表示に色データ表示を併せて表示することを特徴とする。
【請求項１４】
請求項３または請求項４の装置において印刷依頼見本の印刷物作成ブロックにおける印刷物見本の電子カメラによる映像データまたは印刷依願見本の印刷物の電子カメラ映像データをディスプレイに部分拡大、部分縮小として表示すること、印刷依頼見本映像データと印刷依頼の印刷物の電子カメラ映像をディスプレイに並列表示すること及び印刷物見本のディスプレイ表示または印刷依頼見本の印刷物映像データのディスプレイ表示に色データ表示を併せて表示することを特徴とする。
【請求項１５】
請求項５乃至請求項８の装置において印刷依頼データ作成及び表示／評価ブロックにおける印刷依頼データまたは印刷依頼の印刷物の電子カメラ映像データの拡大縮小をディスプレイに表示すること、印刷依頼データと印刷依頼の印刷物の電子カメラ映像データをディスプレイに並列表示すること、印刷依頼データまたは印刷依頼の印刷物の電子カメラ映像データに色データを併せて表示することを特徴とする装置。
【発明の詳細な説明】
【技術分野】
【０００１】  本発明は、印刷される印刷物の色や色調の検査方法及び装置に関する。
【背景技術】
【０００２】  カメラによる印刷物の画像として検査画像として取り込み基準となる基準画像とを比較し、印刷機によって印刷される印刷物の印刷欠陥を検査することが行われているものが特開平８−５２８６３に開示されている。また特開２００３−１０３７６１では印刷物のカメラのＲＧＢ輝度信号と基準印刷物の画像データを比較し色調変動を得て、その結果をグラフ化する事が行われている。【０００３】  多くの印刷物検査装置では、印刷依頼見本体と印刷依頼の印刷物を印刷現場で目視によって判断し印刷機のインキ量等を制御し所望の印刷物であるかの否かを確認していることが多い。印刷現場での目視判断だけでなく、電子カメラによって印刷物を撮像し得られた色データを用い印刷物評価する方法も特許文献１、特許文献２として提案されているがあくまで補助判断手段にとどまる。【０００４】  しかし、特許文献１、特許文献２の方法は、印刷工程の性能規準化、電子カメラの性能規準化表示ディスプレイの性能基準化を一元化していない。遠隔地での印刷物評価や人体に有害な化学物質との接触低減をサポートしているものではない。
【先行技術文献】
【特許文献】
【０００５】
【特許文献１】特開平０８−０５２６８３号公報
【特許文献２】特開２００３−１０３７６１号公報
【発明の概要】
【発明が解決しようとする課題】
【０００６】以上述べたような従来の検査方法では印刷現場での目視による印刷物評価が主である。また近年の印刷データのみの印刷依頼の印刷物評価には評価対応に困難が伴う。また、印刷現場で印刷機の制御を行うことは有害であるインキ溶剤物質と人体の接触時間が増大する危険を伴う。この有害物質の人体接触を避ける工夫が肝要であり、印刷作業者の印刷機の制御時間を極力短縮することが求められる。このことは印刷機のある現場での評価を出来るだけ回避し目視による印刷物の評価を色データ化することにより印刷物評価を迅速に行うことが求められる。また、印刷依頼者が遠隔地からの評価を行い印刷依頼の評価者が印刷工程の場所に不在であっても可能にすることが望ましい。【０００７】  本発明は、上記のような必要性や状況に鑑みてなされたものであり、電子カメラを用いた印刷工程の性能基準化、印刷物やディスプレイ上に表示された印刷物の電子カメラのデータの性能基準化及びシステムに用いる表示ディスプレイの性能規準化により印刷物の検査表化する方法、装置の提供を目的とする。【０００８】  また、本発明では、印刷物の評価分析にあたっては素早く当該処置や分析対象部分を捉える作業を印刷作業現場とは隔離された場所で行うことにより極力、人体に有害な化学物質との接触を抑える印刷物の検査方法及びその装置の提供を目的としている。よって、印刷作業現場と隔離された場所に評価分析する機能を設置することはもとより通信手段を付加することにより離れた場所の印刷依頼者の評価を速やかに得ることにより印刷物の検査の作業を簡便化しできるだけ有害物質との接触を少なくすることに有効である。
【課題を解決するための手段】
【０００９】  そして、本発明は上記目的を達成するため、請求項１に記載の発明は、基準カラーチャートの印刷補正ブロックにより基準カラーチャートの印刷補正表を作成し、この基準カラーチャートの印刷補正表により補正された印刷工程によって印刷見本を電子カメラで撮像し得られた映像データにより印刷物を印刷する印刷工程を持つ装置において、印刷依頼見本の映像データと印刷物の映像データを比較判定する機能を持つ印刷物検査方法および装置であることを特徴とする。印刷依頼見本の印刷物作成ブロックに用いる電子カメラは基準カラーチャートの印刷補正ブロックで用いる電子カメラは出来れば同じもの、または特性上同一である事が望ましい。同じく印刷依頼見本の作成ブロックに用いる印刷工程は基準カラーチャートの印刷補正ブロックで用いる印刷工程は出来れば同じもの、または特性上同一である事が望ましい。【００１０】  請求項１に基づく発明によれば、印刷見本の印刷データが無く、印刷見本のみがある場合に印刷色及び色調が誤差範囲内にある印刷物を得ることが可能となる。【００１１】  請求項２に記載の発明は、基本構成として請求項１と同一であるが印刷工程の場所と印刷依頼見本の印刷制御工程ブロックとを機能として分けたものである。この機能構成により印刷物検査の大部分は印刷依頼見本の印刷制御工程ブロックで行うことが可能となり、印刷依頼見本の映像データと印刷物の映像データを比較しその色及び色調誤差を判定することが出来る。印刷機のある印刷工程での作業時間を低減し、人体に有害であるインキおよび溶剤等の化学物質との接触時間を削減できる事につながる。【００１２】  請求項３に基づく本発明は、請求項２の構成に基準カラーチャートのディスプレイ表示補正ブロックによるディスプレイ表示データ補正表に基づき補正されたディスプレイを付加し、印刷依頼見本の映像データを前記ディスプレイ上に表示し電子カメラで撮像した映像を視覚認識する機能を持つことを特徴としている。【００１３】  請求項４に基づく本発明は、請求項３の構成に基準カラーチャートのディスプレイ表示補正ブロックによるディスプレイ表示データ補正表に基づき補正されたディスプレイを付加し、印刷依頼見本の映像データとその印刷物の映像データを前記ディスプレイ上に表示し電子カメラで撮像した映像として視覚認識すると同時にそれらの映像データを比較判定出来ることを特徴としている。【００１４】  請求項５に基づく本発明は、基準カラーチャートの印刷物補正ブロックで作成された基準カラーチャートの印刷補正表に基づき印刷補正を行う印刷工程と基準カラーチャートのディスプレイ表示補正ブロックで作成されたディスプレイ表示データ補正表に基づき表示補正されたディスプレイを具備し、印刷依頼データと前記印刷工程で作成された印刷物を電子カメラで撮像した映像データと印刷依頼データを表示補正された前記ディスプレイ表示を電子カメラで撮像した映像データを比較する機能を持ち、
・前記印刷補正表により印刷工程を補正制御する機能により得られた印刷依頼見本の印刷物を電子カメラで撮像し得られた映像データと
・印刷依頼データと
・印刷依頼データを前記ディスプレイに表示し、ディスプレイ上に表示された映像を電子カメラで撮像した映像データと
を比較及び評価を行うことを特徴とする方法及び装置。【００１５】  請求項６に基づく本発明は、請求項５の装置において、
・印刷補正表により印刷工程を補正制御する機能により得られた印刷依頼見本の印刷物を電子カメラで撮像し得られた映像データと
・印刷依頼データと
・印刷依頼データを前記ディスプレイに表示し、ディスプレイ上に表示された映像を電子カメラで撮像した映像データと
・ＩＳＯの印刷品質管理規格データと
を比較及び評価を行うことを特徴とする方法及び装置。【００１６】  請求項７に基づく本発明は、請求項５または請求項６において印刷工程と印刷依頼データ作成及び印刷工程制御／表示／評価制御の前記印刷機の存在する印刷工程の設置場所と印刷工程を制御する前記印刷補正部は別な場所であることを特徴とし、印刷機のある印刷工程での作業時間を低減し、人体に有害であるインキおよび溶剤等の化学物質との接触時間削減できる事を特徴としている。【００１７】  請求項８に基づく本発明は、請求項５または請求項６において印刷工程ブロックと印刷制御を行う印刷依頼データ作成及び表示／評価ブロックに、
・前記印刷補正表により印刷工程を補正制御する機能により得られた印刷依頼見本の印刷物を電子カメラで撮像し得られた映像データと
・印刷依頼データと
・印刷依頼データを前記ディスプレイに表示し、ディスプレイ上に表示された映像を電子カメラで撮像した映像データと
を印刷補正ブロック、印刷依頼データ作成及び表示／評価ブロックとは位置が異なる遠隔地に送信する機能を持ち、遠隔地でデータ受信し印刷物を評価することを特徴とする方法及び装置である。【００１８】  請求項９に基づく本発明は、請求項７の装置においてデータの送受信は双方向であり、印刷依頼データ作成及び表示／評価ブロックからの受信データは、
・印刷物の電子カメラの映像データ
・印刷物の電子カメラの映像データのディスプレイ表示データ
・ディスプレイ表示データ補正表
・基準カラーチャートの印刷補正表
であり、印刷依頼データ作成及び表示／評価ブロックへの送信データは、
・印刷依頼データ
・印刷依頼データのディスプレイ補正データ
・ディスプレイ表示の電子カメラの映像データ
・印刷修正データ
・評価及び修正指示
であることを特徴とする方法および装置である。【００１９】  請求項１０に基づく本発明は、請求項１乃至請求項９の装置において電子カメラに色フィルターを配置し電子カメラの撮像データを取得することを特徴とする方法および装置である。色フィルターを電子カメラに配設することにより白黒カメラでも色信号として取得可能であり、また照明環境や印刷に供する紙質変化にも対応の可能となり、利便性が広がる方法である。【００２０】  請求項１１に基づく本発明は、請求項１０に使用する色フィルターはＲ，Ｇ，Ｂ色フィルターであることを特徴とする。【００２１】  請求項１２に基づく本発明は、請求項１０に使用する色フィルターはＹ，Ｍ，Ｃ，ＮＤフィルターであることを特徴とする。【００２２】請求項１３に基づく本発明は、請求項３，請求項４、請求項５、請求項６、請求項７の装置において、基準カラーチャートのディスプレイ補正ブロックでのディスプレイ表示は基準カラーチャートの表示の部分拡大、部分縮小の表示すること、基準カラーチャートの電子カメラ映像表示と基準カラーチャートの印刷物の電子カメラ映像表示の並列表示すること及び基準カラーチャートの電子カメラによる映像信号または基準カラーチャートの印刷物の電子カメラ映像表示に色データ表示を併せて表示することを特徴とする。【００２３】請求項１４に基づく本発明は、請求項３または請求項４の装置において印刷依頼見本の印刷物作成ブロックにおける印刷物見本の電子カメラによる映像データまたは印刷依頼見本の印刷物の電子カメラ映像データをディスプレイに部分拡大、部分縮小として表示すること、印刷依頼見本映像データと印刷依頼の印刷物の電子カメラ映像をディスプレイに並列表示すること及び印刷物見本のディスプレイ表示または印刷依頼見本の印刷物映像データのディスプレイ表示に色データ表示を併せて表示することを特徴とする。【００２４】請求項１５に基づく本発明は、請求項５乃至請求項８の装置において印刷依頼データ作成及び表示／評価ブロックにおける印刷依頼データまたは印刷依頼の印刷物の電子カメラ映像データの拡大縮小をディスプレイに表示すること、印刷依頼データと印刷依頼の印刷物の電子カメラ映像データをディスプレイに並列表示すること、印刷依頼データまたは印刷依頼の印刷物の電子カメラ映像データに色データを併せて表示することを特徴とする方法および装置である。
【発明の効果】
【００２５】  このように、本発明の印刷物検査方法を用いれば、印刷物の評価分析を素早く、効率的かつ的確に行うことが可能となると同時に人体への有害物質の影響を少なくする環境を提供できる。
【図面の簡単な説明】
【００２６】
【図１】本発明による印刷物検査システムとその動作説明図である。
【図２】本発明による印刷物検査システムとその動作説明図である。
【図３】本発明による印刷物検査システムとその動作説明図である。
【図４】本発明による印刷物検査システムとその動作説明図である。
【図５】本発明による印刷物検査システムとその動作説明図である。
【図６】本発明による印刷物検査システムとその動作説明図である。
【図７】本発明による印刷物検査システムとその動作説明図である。
【図８】本発明による印刷物検査システムとその動作説明図である。
【図９】本発明による印刷物検査システムとその動作説明図である。
【図１０】本発明による印刷物検査システムにおけるディスプレイ表示例である。
【図１１】本発明による印刷物検査システムにおけるディスプレイ表示例である。
【図１２】本発明による印刷物検査システムにおけるディスプレイ表示例である。
【図１３】本発明に係わる基準カラーチャートの印刷補正ブロックである。
【図１４】本発明に係わる基準カラーチャートのディスプレイ表示補正ブロックである。
【発明を実施するための形態】
【００２７】  本発明を具体化した実施形態を図に基づいて説明する。図は説明の都合上模式的に描いてある。図１は本発明に係る印刷物検査とその動作を示す説明図である。図１は上部に印刷見本の印刷物作成ブロック、図１の下部には基準カラーチャートの印刷補正ブロックを示している。図１の下部に示される基準カラーチャートの印刷補正ブロックにおいて、印刷工程で基準カラーチャートを印刷した印刷物を電子カメラで撮像し得られた映像データと基準カラーチャートを電子カメラで撮像した映像データの映像信号を比較し、印刷された電子カメラの映像データが基準カラーチャートを電子カメラで撮像し得られた映像データの差分を印刷工程の補正として印可する印刷工程ループを有し、それら映像データの差分が最小となるように印刷工程の色データ補正表を作成することで、基準カラーチャートの印刷補正表を得る。図１の上部の印刷見本の印刷物作成ブロックでは、基準カラーチャートの印刷補正表をもちいて印刷工程を補正し印刷物を得る。この印刷物を電子カメラで撮像し得られたい映像データと印刷依頼見本の映像データと比較することで印刷物の良否を判定する。印刷物を電子カメラで撮像し得られたい映像データと印刷依頼見本の映像データとの誤差を認識することが可能となる。もし前記誤差が生じた時は微少の補正を印刷工程に加える事も出来る。図１において、基準カラーチャートの印刷補正ブロックの印刷工程と印刷依頼見本の印刷物作成ブロックの印刷工程は同一のものである事が望ましい。
【００２８】  図２は図１のシステムを印刷工程の場所と印刷依頼見本の印刷制御工程ブロックの場所を表示したもので、印刷制御作業に比べ、印刷工程の作業は印刷物の受け取り確認の最小限にとどめる事が出来る。
【００２９】  図３は本発明に係る印刷物検査とその動作を示す説明図である。図３は上部には印刷見本の印刷物作成ブロックで図１上部のブロックに加え、表示補正制御されたディスプレイを備える、図３の中央部には基準カラーチャートのディスプレイ表示補正ブロックを示す。図３の中央部に示される基準カラーチャートのディスプレイ表示補正ブロックにおいて、基準カラーチャートを電子カメラで撮像し得られた映像データと基準カラーチャートを電子カメラで撮像し得られた映像データをディスプレイ表示し、表示された映像を電子カメラで撮像した映像データの映像信号を比較し、それらの映像データの差分をディスプレイ表示の補正として印可する表示補正ループを有し、それら映像データの差分が最小となるようにディスプレイ表示データ補正の色データ補正表を作成することで、基準カラーチャートのディスプレイ表示データ補正表を得る。図３の下部に示される基準カラーチャートの印刷補正ブロックにおいて、印刷工程で基準カラーチャートを印刷した印刷物を電子カメラで撮像し得られた映像データと基準カラーチャートを電子カメラで撮像した映像データの映像信号を比較し、印刷された電子カメラの映像データが基準カラーチャートを電子カメラで撮像し得られた映像データの差分を印刷工程の補正として印可する印刷工程ループを有し、それら映像データの差分が最小となるように印刷工程の色データ補正表を作成することで、基準カラーチャートの印刷補正表を得る。図３の上部の印刷見本の印刷物作成ブロックでは、基準カラーチャートの印刷補正表をもちいて印刷工程を補正し印刷物を得る。この印刷物を電子カメラで撮像し得られたい映像データと印刷依頼見本の映像データと比較することで印刷物の良否を判定する。印刷物を電子カメラで撮像し得られたい映像データと印刷依頼見本の映像データとの誤差を認識することが可能となる。もし前記誤差が生じた時は微少の補正を印刷工程に加える事も出来る。同じく図３上部の印刷依頼見本の印刷物作成ブロック内のディスプレイに印刷依頼見本の映像データを基準カラーチャートのディスプレイ表示補正ブロックで得られたディスプレイ表示データ補正表を用いて補正されたディスプレイ上に表示する。以上の機能により印刷依頼見本の映像データと印刷依頼見本の印刷物データの比較検査と表示を行うことが出来る。図３においても、基準カラーチャートの印刷補正ブロックの印刷工程と印刷依頼見本の印刷物作成ブロックの印刷工程は同一のものである事が望ましい。
【００３０】  図４は図３の機能に加え、印刷依頼見本の印刷物の映像データと印刷依頼見本の映像データを補正された表示補正されたディスプレイに表示するものである。印刷依頼見本の印刷物の映像データと印刷依頼見本の映像データの表示確認はディスプレイ表示の切り替え、並列表示を選択可能で、印刷依頼見本とその印刷物の検査を比較評価できる。
【００３１】  図５は印刷依頼見本の印刷データのみが有り印刷依頼見本が無い場合の印刷物検査システムを示している。図５の構成は上部に印刷工程ブロック、２段目に印刷依頼データ作成及び表示／評価ブロック、３段目に基準カラーチャートのディスプレイ表示補正ブロック。４段目に基準カラーチャートの印刷物補正ブロックを示している。基準カラーチャートの印刷補正表を用いて印刷制御を印刷工程ブロックで行う。印刷工程ブロックによって印刷された印刷物を電子カメラで撮像し映像信号を得る。印刷依頼データを補正制御されたディスプレイに印可し表示された映像を電子カメラで撮像し映像データを得る。印刷工程ブロックによって印刷された印刷物を電子カメラで撮像し映像信号と印刷依頼データを補正制御されたディスプレイに表示し、表示された映像を電子カメラで撮像し映像データと印刷依頼データを比較及び評価を行い印刷物の検査を行う。
【００３２】  図６は図５に加え、ＩＳＯの印刷物品質管理規格である誤差データ許容表との比較評価を併せて行うことを特徴とする。
【００３３】  図７は図５の機能に加え、印刷依頼データ、印刷物の映像データ、印刷データのディスプレイ表示映像データ及びその比較評価を遠隔地に送信する機能を持つ。遠隔地とは印刷依頼人の場所及びその評価場所を想定している。
【００３４】  図８は図７における通信手段が送信だけでなく受信を可能とするもので、遠隔地からの送信データは、
・  印刷依頼データ
・  印刷依頼データのディスプレイ補正
・  ディスプレイ表示の電子カメラ映像データ
・  評価及び修正指示
遠隔地での受信データは、
・  印刷物の電子カメラ映像データ
・  印刷物の電子カメラ映像データのディスプレイ表示データ
・  ディスプレイ表示データ補正表
・  基準カラーチャートの印刷補正表
を想定する。
【００３５】  図９は図１乃至図９の装置において電子カメラに色フィルターを配置し電子カメラの撮像データを取得することを特徴とする方法および装置である。色フィルターを電子カメラに配設することにより白黒カメラでも色信号として取得可能であり、また照明環境や印刷に供する紙質変化にも対応の可能となり、利便性が広がる方法である。色フィルターにはＲ，Ｇ，Ｂフィルター、Ｙ，Ｍ，Ｃ，ＮＤフィルターであることを特徴としている。
【００３６】  図１０は基準カラーチャートのディスプレイ表示補正ブロックでのディスプレイ表示法の例を示す。基準カラーチャートの映像信号を全体表示、並列表示、部分拡大表示及び色データのディスプレイ表示例を示している。
【００３７】  図１１は印刷依頼見本があり印刷データがない場合の印刷依頼の映像データまたは印刷依頼見本の印刷物のディスプレイ表示法の例を示した。全体表示、並列表示、部分拡大表示及び色データの表示例を示している。
【００３８】  図１２は印刷依頼データがあり、印刷依頼見本がない場合の表示方法例を示した。
【００３９】  図１３は基準カラーチャートの印刷補正ブロック示し、基準カラーチャートの印刷補正表を作成する機能を持つ。
【００４０】  図１４は基準カラーチャートのディスプレイ表示データ補正ブロックを示し、基準カーチャートのディスプレイ表示データ補正表を作成する機能を持つ。
【符号の説明】
【００４１】１０１    印刷依頼見本の印刷物作成ブロック
１０２    基準カラーチャートの印刷補正ブロック
２０１    印刷依頼見本の印刷制御工程ブロック
２０２    印刷工程
３０１    印刷依頼見本の印刷物作成ブロック
３０２    基準カラーチャートのディスプレイ表示補正ブロック
３０３    基準カラーチャートの印刷物補正ブロック
４０１    印刷依頼見本の印刷物作成ブロック
４０２    基準カラーチャートのディスプレイ表示データ補正ブロックでのディスプレイ表示補正表の作成
４０３    基準カラーチャートの印刷補正ブロックでの基準カラーチャートの印刷補正表の作成
５０１    印刷工程ブロック
５０２    印刷依頼データ作成及び表示／評価ブロック
５０３    基準カラーチャートのディスプレイ表示補正ブロック
５０４    基準カラーチャートの印刷物補正ブロック
６０１    印刷工程ブロック
６０２    印刷依頼データ作成及び表示／評価ブロック
６０３    基準カラーチャートのディスプレイ表示補正ブロック
６０４    基準カラーチャートの印刷物補正ブロック
７０１    印刷工程ブロック
７０２    印刷依頼データ作成及び表示／評価ブロック
７０３    基準カラーチャートの印刷補正表
７０４    ディスプレイ表示データ補正表
７０５    遠隔地の印刷依頼場所／印刷物評価場所
８０１    印刷工程ブロック
８０２    印刷依頼データ作成及び表示／評価ブロック
８０３    基準カラーチャートの印刷補正表
８０４    ディスプレイ表示データ補正表
８０５    遠隔地の印刷依頼場所／印刷物評価場所
９０１    印刷依頼見本の印刷物作成ブロック
９０２    基準カラーチャートのディスプレイ表示補正ブロック
９０３    基準カラーチャートの印刷物補正ブロック
１００１  基準カラーチャートのディスプレイ表示補正ブロック
１１０１  印刷依頼見本の印刷物作成ブロック
１２０１  印刷工程ブロック
１２０２  印刷依頼データ作成及び表示／評価ブロック
１３０１  印刷依頼見本の印刷物作成ブロック
１４０１  基準カラーチャートのディスプレイ表示補正ブロック
【図１】
2014069568.tif 000003
【図２】
2014069568.tif 000004
【図３】
2014069568.tif 000005
【図４】
2014069568.tif 000006
【図５】
2014069568.tif 000007
【図６】
2014069568.tif 000008
【図７】
2014069568.tif 000009
【図８】
2014069568.tif 000010
【図９】
2014069568.tif 000011
【図１０】
2014069568.tif 000012
【図１１】
2014069568.tif 000013
【図１２】
2014069568.tif 000014
【図１３】
2014069568.tif 000015
【図１４】
2014069568.tif 000016